(57)【要約】【課題】各種イベントグッズ、記念品、応援グッズ、日焼け防止、ファッション用品など多様な機能性を有する多用途の小ロット生産向きで低コストのアームカバー商品群を生産する多用途アームカバー商品群生産システムを提供する。【解決手段】本発明は、ポリエステル又はポリウレタン繊維からなり、所定の標準化形状を有する白地のＵＶ加工付きブランクアームカバーを製造する段階と、ブランクアームカバーをベースにして、ユーザ要求による日焼け防止、ファッション、応援グッズ、イベントグッズ、記念品グッズを含む多用途毎に、所望の色彩の絵図又は／及び文字又は／及び符記号が一部又は全面的に形成されたプリント柄を昇華プリントして各要求数量の多用途アームカバー商品群のロット生産を行う段階と、使用後の多用途アームカバー商品群を回収し破砕及び漂白処理して再度ブランク生地に再生する段階と、を少なくとも有することを特徴とする。【選択図】図１
2012007261.tif 000002
【特許請求の範囲】
【請求項１】
紫外線照射加工が施されたリサイクル可能なポリエステル又はポリウレタン繊維のブランク生地からなり、白地のアームカバーであるブランクアームカバーを製造する段階と、
前記ブランクアームカバーをベースにして、ユーザから要求された日焼け防止、ファッション、応援グッズ、イベントグッズ、および記念品グッズを含む用途毎に、所望の色彩の絵図又は／及び文字又は／及び符記号が前記ブランクアームカバーの一部又は全面に形成されたプリント柄を昇華プリントにより施した多用途アームカバー商品群を、それぞれ要求された数量でロット生産を行う段階を、少なくとも有することを特徴とする多用途アームカバー商品群生産システム。
【請求項２】
前記ブランクアームカバーは、
手甲側端及び腕根元側端の両端が開口されるとともに、手甲側端側に親指貫通口が設けられた中空の所定寸法の平坦状態で略細長円錐台状先細り型に形成された標準化形状を有することを特徴とする請求項１記載の多用途アームカバー商品群生産システム。
【請求項３】
前記ブランクアームカバーの所定寸法は、平坦状態で手甲側端幅が８５〜９５ｍｍ、腕根元側端幅が１００〜１２０ｍｍ、全長が４００〜５００ｍｍであることを特徴とする請求項２記載の多用途アームカバー商品群生産システム。
【請求項４】
前記ユーザから使用後の多用途アームカバー商品群を回収し破砕及び漂白処理して再度紫外線照射加工が施された白地のポリエステル又はポリウレタン繊維生地であるブランク生地に再生する段階をさらに有し、この再生されたブランク生地を用いて前記ブランクアームカバー製造段階、昇華プリント施工による多用途アームカバー商品群仕上げ段階、ユーザによる多用途アームカバー商品群使用段階、前記ブランク生地再生段階の一連のサイクルが繰返されることを特徴とする請求項１乃至請求項３のいずれか１項記載の多用途アームカバー商品群生産システム。
【請求項５】
前記ブランクアームカバーを製造するブランクアームカバー製造部署と、
前記ブランクアームカバー商品群に多用途毎に所望のプリント柄を昇華プリントにより施して前記多用途アームカバー商品群を仕上げる昇華プリント部署と、
前記ユーザから使用済みの多用途アームカバー商品群を回収し破砕及び漂白処理して再度ＵＶ加工が施された白地のポリエステル又はポリウレタン繊維生地であるブランク生地に再生するブランク生地再生部署と、
前記各種ユーザからの所望の用途内容に沿って前記多用途アームカバー商品群のロット生産に関する、前記各種ユーザからの受注、前記ブランクアームカバー製造部署へのブランクアームカバー製造発注、前記昇華プリント部署へのプリント柄施工の発注、および前記ブランク生地再生部署への使用後の多用途アームカバー商品群からのブランク生地再生の発注を含む全体取纏めを行うシステム取纏め部署を、少なくとも有することを特徴とする請求項１乃至請求項４のいずれか１項記載の多用途アームカバー商品群生産システム。
【請求項６】
さらに、前記各部署間のブランクアームカバー、多用途アームカバー商品群、およびブランク生地を、繰返し使用可能なボックス内に収容して運送する運送部署をさらに有することを特徴とする請求項５記載の多用途アームカバー商品群生産システム。
【請求項７】
前記多用途アームカバー商品群には、個々の多用途アームカバーを識別してコンピュータ管理するための特定の多用途アームカバー識別手段が取付けられることを特徴とする請求項１乃至請求項６のいずれか１項記載の多用途アームカバー商品群生産システム。
【請求項８】
前記多用途アームカバー識別手段は、データの書込み及び読出し可能な電子タグ（又はＩＣタグ）であることを特徴とする請求項７記載の多用途アームカバー商品群生産システム。
【請求項９】
前記多用途アームカバー商品群のロッド生産に関する、前記ユーザからの受注、前記ブランクアームカバー製造部署へのブランクアームカバー製造発注、前記昇華プリント部署への昇華プリント施工発注、及び前記ブランク生地再生部署へのブランク生地再生発注を含む全体取纏めを前記電子タグ（又はＩＣタグ）と連携させたコンピュータ及びインターネットを介して一括管理するための多用途アームカバー商品群生産管理システムを備えることを特徴とする請求項２乃至請求項８のいずれか１項記載の多用途アームカバー商品群生産システム。
【請求項１０】
前記多用途アームカバー商品群生産管理システムは、前記電子タグ（又はＩＣタグ）が取付けられた個々の多用途アームカバーを識別して、
電子タグ（又はＩＣタグ）の物件番号、ユーザ情報、多用途アームカバー固有情報、製造情報、運用情報、使用条件を含む登録事項の在庫リストの作成を行う段階と、
前記物件番号に対応する前記各登録事項の書込みを行う段階と、
納品書、請求書出し、その他財務、会計管理を行う段階と、
前記多用途アームカバーの使用状況の管理を行う段階と、を少なくとも有することを特徴とする請求項９記載の多用途アームカバー商品群生産システム。
【請求項１１】
前記電子タグ（又はＩＣタグ）は、複数回の使用に耐える素材に形成されており、前記ブランク生地再生部署においてユーザ使用後の多用途アームカバー商品群から取外され、前記ブランクアームカバー製造部署又はシステム取纏め部署において別の新たなブランクアームカバーに取付けられ、前記多用途アームカバー商品群生産管理システムを介して新たな情報の書換えが行われることを特徴とする請求項８乃至請求項１０のいずれか１項記載の多用途アームカバー商品群生産システム。
【発明の詳細な説明】
【技術分野】
【０００１】
本発明は、多用途アームカバー商品群生産システムに関し、特に白地のアームカバーをベースにして日焼け防止、ファッション、応援グッズ、イベントグッズ゛を含む多用途でリサイクル可能なアームカバーの商品群を生産する多用途アームカバー商品群生産生産システムに関する。
【背景技術】
【０００２】
従来のアームカバーの一例として、図９に示すように、少なくとも手の甲と手の平部分を覆う手被覆部１０１と、手被覆部１０１の手首側端部に縫目なしに一体的に接続され腕部を覆う筒状の腕被覆部１０２とを備え、紫外線吸収剤を担持させた細径の且つ肌色の合成樹脂繊維からなる細かい網目状の伸縮性を有する織布で略透明に近くなるように構成されている紫外線防止用ロング手袋ＬＧが提案されている（特許文献１参照）。
【０００３】
また、別の例として、図１０に示すように、伸縮自在の機能性素材（吸湿、発熱、軽量、ＵＶ等）からなるル―ズ式指なしアームカバーが提案されている（特許文献２参照）。
【０００４】
また、他の例として、図１１に示すように、タオル地３０３は、断面放射状に複数の突条を長さ方向に沿って設けたナイロン糸と、突条間に配設されたポリエステル糸とからなる複合糸により、表面側と裏面側にパイルが出るように織成されて構成され、タオル地３０３の表面と裏面には夫々所望の図柄が昇華転写プリントにより施され、タオル地３０３の全周縁には縁飾り用レース３０４が縫着されている昇華転写プリント繊維製品が提案されている（特許文献３参照）。
【０００５】
さらに、日焼け防止用、応援グッズ用、ファッション用などの各種プリントアームカバーが市販されている。
【先行技術文献】
【特許文献】
【０００６】
【特許文献１】実開平５−８５８１０号公報
【特許文献２】登録実用新案第３０６２２３２号公報
【特許文献３】特開２００４−２４４７８４号公報
【発明の概要】
【発明が解決しようとする課題】
【０００７】
しかしながら、従来の特許文献１、２に記載のアームカバー及び市販されているプリントアームカバー等は、いずれも日焼け防止、ファッションといったそれぞれ個別的、ばらばらなデザイン及び用途に限定された個別的大量生産向きであり、特異的且つ多様な機能性を有する多用途の小ロット生産に対してはその概念も一切取入れられておらずコスト的にも不向きであった。
【０００８】
また、特許文献３に記載の昇華転写プリント繊維製品は、吸水性を高めるために複数の突条を長さ方向に沿って設けた合成繊維からなる構成が煩雑でコストも嵩むタオル地製品であって、アームカバーについては開示されていない。
【０００９】
そこで、本発明は、上記従来技術の問題点に鑑みてなされたものであって、本発明の目的は、各種イベントグッズ、記念品、応援グッズ、あるいは個性的な日焼け防止、ファッション用品などとして、特異的且つ多様な機能性を有する多用途の小ロット生産向きでコスト的にも有利でリサイクル可能なアームカバー商品群を生産する多用途アームカバー商品群生産システムを提供することにある。
【課題を解決するための手段】
【００１０】
上記目的を達成するため、請求項１の発明の多用途アームカバー商品群生産システムは、紫外線照射加工（ＵＶ加工）が施されたリサイクル可能なポリエステル又はポリウレタン繊維のブランク生地からなり、白地のアームカバーであるブランクアームカバーを製造する段階と、前記ブランクアームカバーをベースにして、ユーザから要求された日焼け防止、ファッション、応援グッズ、イベントグッズ、および記念品グッズを含む多用途毎に、所望の色彩の絵図又は／及び文字又は／及び符記号が前記ブランクアームカバーの一部又は全面的に形成されたプリント柄を昇華プリントにより施した多用途アームカバー商品群を、それぞれ要求された数量でロット生産を行う段階を、少なくとも有することを特徴とする。
【００１１】
請求項２の発明は、請求項１記載の多用途アームカバー商品群生産システムであって、前記ブランクアームカバーは、手甲側端及び腕根元側端の両端が開口されるとともに、手甲側端側に親指貫通口が設けられた中空の所定寸法の平坦状態で略細長円錐台状先細り型に形成された標準化形状を有することを特徴とする。
【００１２】
請求項３の発明は、請求項２記載の多用途アームカバー商品群生産システムであって、前記ブランクアームカバーの所定寸法は、平坦状態で手甲側端幅が８５〜９５ｍｍ、腕根元側端幅が１００〜１２０ｍｍ、全長が４００〜５００ｍｍであることを特徴とする。
【００１３】
請求項４の発明は、請求項１乃至請求項３のいずれか１項記載の多用途アームカバー商品群生産システムであって、前記ユーザから使用後の多用途アームカバー商品群を回収し破砕及び漂白処理して再度ＵＶ加工が施された白地のポリエステル又はポリウレタン繊維生地であるブランク生地に再生する段階をさらに有し、この再生されたブランク生地を用いて前記ブランクアームカバー製造段階、昇華プリント施工による多用途アームカバー商品群仕上げ段階、ユーザによる多用途アームカバー商品群使用段階、前記ブランク生地再生段階の一連のサイクルが繰返されることを特徴とする。
【００１４】
請求項５の発明は、請求項１乃至請求項４のいずれか１項記載の多用途アームカバー商品群生産システムであって、前記ブランクアームカバーを製造するブランクアームカバー製造部署と、前記ブランクアームカバーに多用途毎に所望のプリント柄を昇華プリントにより施して前記多用途アームカバー商品群を仕上げる昇華プリント部署と、前記ユーザから使用済みの多用途アームカバー商品群を回収し破砕及び漂白処理して再度ＵＶ加工が施された白地のポリエステル又はポリウレタン繊維生地であるブランク生地に再生するブランク生地再生部署と、前記各種ユーザからの所望の用途内容に沿って前記多用途アームカバー商品群のロット生産に関する、前記各種ユーザからの受注、前記ブランクアームカバー製造部署へのブランクアームカバー製造発注、前記昇華プリント部署へのプリント柄施工の発注、および前記ブランク生地再生部署への使用後の多用途アームカバー商品群からのブランク生地再生の発注を含む全体取纏めを行うシステム取纏め部署と、を少なくとも有することを特徴とする。
【００１５】
請求項６の発明は、請求項５記載の多用途アームカバー商品群生産システムであって、前記各部署間のブランクアームカバー、多用途アームカバー商品群、およびブランク生地を、繰返し使用可能なボックス内に収容して運送する運送部署をさらに有することを特徴とする。
【００１６】
請求項７の発明は、請求項１乃至請求項６のいずれか１項記載の多用途アームカバー商品群生産システムであって、前記多用途アームカバー商品群には、個々の多用途アームカバーを識別してコンピュータ管理するための特定の多用途アームカバー識別手段が取付けられることを特徴とする。
【００１７】
請求項８の発明は、請求項７記載の多用途アームカバー商品群生産システムであって、前記多用途アームカバー識別手段は、データの書込み及び読出し可能な電子タグ（又はＩＣタグ）であることを特徴とする。
【００１８】
請求項９の発明は、請求項２乃至請求項８のいずれか１項記載の多用途アームカバー商品群生産システムであって、前記多用途アームカバー商品群のロッド生産に関する、前記ユーザからの受注、前記ブランクアームカバー製造部署へのブランクアームカバー製造発注、前記昇華プリント部署への昇華プリント発注、及び前記ブランク生地再生部署への再生発注を含む全体取纏めを前記電子タグ（又はＩＣタグ）と連携させたコンピュータ及びインターネットを介して一括管理するための多用途アームカバー商品群生産管理システムを備えることを特徴とする。
【００１９】
請求項１０の発明は、請求項９記載の多用途アームカバー商品群生産システムであって、前記多用途アームカバー商品群生産管理システムは、前記電子タグ（又はＩＣタグ）が取付けられた個々の多用途アームカバーを識別して、電子タグ（又はＩＣタグ）の物件番号、ユーザ情報、多用途アームカバー固有情報、製造情報、運用情報、使用条件を含む登録事項の在庫リストの作成を行う段階と、前記物件番号に対応する前記各登録事項の書込みを行う段階と、納品書、請求書出し、その他財務、会計管理を行う段階と、前記多用途アームカバーの使用状況の管理を行う段階と、を少なくとも有することを特徴とする。
【００２０】
請求項１１の発明は、請求項８乃至請求項１０のいずれか１項記載の多用途アームカバー商品群生産システムであって、前記電子タグ（又はＩＣタグ）は、複数回の使用に耐える素材に形成されており、前記ブランク生地再生部署においてユーザ使用後の多用途アームカバー商品群から取外され、前記ブランクアームカバー製造部署又はシステム取纏め部署において別の新たなブランクアームカバーに取付けられ、前記多用途アームカバー商品群生産管理システムを介して新たな情報の書換えが行われることを特徴とする。
【発明の効果】
【００２１】
請求項１の発明によれば、標準化されたリサイクル可能な白地のブランクアームカバーをベースにして日焼け防止、ファッション、応援グッズ、イベントグッズ、および記念品グッズの用途毎に、各種所望のプリント柄が昇華プリントされた多用途アームカバー商品群のロット生産を行うことから、従来の各種ユーザから要求されたその都度個別的にばらばらなデザイン及び用途に限定されたプリントアームカバーの個別的大量生産方式に比べて、特異的且つ多様な機能性を有する多用途の小ロット生産向きでコスト的にも有利でリサイクル可能なアームカバー商品群を生産できる効果がある。
【００２２】
請求項２の発明によれば、請求項１の発明と同様な効果を有するのに加えて、ブランクアームカバーは、手甲側端及び腕根元側端の両端が開口されるとともに、手甲側端側に親指貫通口が設けられた所定寸法の略細長円錐台状先細り型の標準化形状に規定することにより、形状が簡単で汎用性があり、製造費共コストダウンできる効果がある。
【００２３】
請求項３の発明によれば、請求項２の発明と同様な効果を有するのに加えて、ブランクアームカバーを汎用性のある所定寸法に規定することにより、これをベースにして広範な多用途アームカバー商品群を安価に生産できる効果がある。
【００２４】
請求項４の発明によれば、請求項１乃至請求項３のいずれか１項の発明と同様な効果を有するのに加えて、ユーザで使用後の多用途アームカバー商品群を回収し破砕及び漂白処理して再度ＵＶ加工が施された白地のブランク生地に再生し、これを用いて多用途アームカバー商品群を繰返し生産することにより、資源の有効活用を図るとともに経済性を一層向上させる効果がある。
【００２５】
請求項５の発明によれば、請求項１乃至請求項４のいずれか１項の発明と同様な効果を有するのに加えて、多用途アームカバー商品群生産システムがシステム取纏め部署を中心にして、ブランクアームカバー製造部署、昇華プリント部署、ブランク生地再生部署が機能的な組織化され役割分担されることから効率よく運営される効果がある。
【００２６】
請求項６の発明によれば、請求項５の発明と同様な効果を有するのに加えて、運送部署でブランクアームカバー、多用途アームカバー商品群及び再生されたブランク生地が繰返し使用可能なボックス内に収容されるため、それらの各部署間への運送の効率性及び経済性が確保される効果がある。
【００２７】
請求項７の発明によれば、請求項１乃至請求項６のいずれか１項の発明と同様な効果を有するのに加えて、多用途アームカバー商品群には、個々の多用途アームカバーを識別する特定の多用途アームカバー識別手段が取付けられていることから、多用途アームカバー商品群に対し、手作業による識別処理の必要がなく省力化され、高精度かつ安定した受注管理、在庫管理及びユーザ管理業務等の効率的な信頼性の高いコンピュータ管理ができる効果がある。
【００２８】
請求項８の発明によれば、請求項７の発明と同様な効果を有するのに加えて、多用途アームカバー商品群に取付けられる多用途アームカバー識別手段が電子タグ（又はＩＣタグ）であることから、多用途アームカバー商品群に対し、手作業による識別手段の取付け・取外し等の処理の必要がなく繰返し登録事項を書換え可能なため省力化され、一層高精度かつ安定した受注管理、在庫管理及びユーザ管理業務等の効率的な信頼性の高いコンピュータ管理ができる効果がある。
【００２９】
請求項９の発明によれば、請求項２乃至請求項８のいずれか１項の発明と同様な効果を有するのに加えて、多用途アームカバー商品群生産管理システムにより多用途アームカバー商品群の、ユーザからの受注、ブランクアームカバー製造部署への発注、昇華プリント部署への昇華プリント発注、及びブランク生地再生部署への再生発注などの全体取纏めをコンピュータ及びインターネットを介して効率的かつ信頼性の高い管理ができる効果がある。
【００３０】
請求項１０の発明によれば、請求項９の発明と同様な効果を有するのに加えて、多用途アームカバー商品群生産管理システムにより、電子タグ（又はＩＣタグ）とユーザ名、所属、使用者を含むユーザ情報や商品名、色、サイズを含む商品固有情報、ブランクアームカバー製造部署、昇華プリント部署、ブランク生地再生部署、製造年月日、ブランク生地再生情報等の製造情報、初品投入日、前回納品日、回収日、再生履歴等の運用情報及び使用条件等の登録事項の在庫リストの作成、電子タグ（又はＩＣタグ）の物件番号に対応する各登録事項の書込み、繰返し作業後の前記登録事項の電子タグ（又はＩＣタグ）への書換え、納品書、請求書出し、その他財務、会計管理、多用途アームカバー商品群の使用状況の管理などの一括管理の高精度、高効率かつ高信頼性が確保される効果がある。
【００３１】
請求項１１の発明によれば、請求項８乃至請求項１０のいずれか１項の発明と同様な効果を有するのに加えて、電子タグ（又はＩＣタグ）は複数回の使用に耐える素材に形成され、ユーザ使用後の多用途アームカバー商品群から取外され、別の新たなブランクアームカバーに取付けられ、多用途アームカバー商品群生産管理システムを介して新たな情報の書換えが行われることから、繰り返しリサイクル使用が可能であり、経済性を図る効果がある。
【図面の簡単な説明】
【００３２】
【図１】本発明の一実施形態の多用途アームカバー商品群生産システムを概念的に示すブロック図である。
【図２】本発明の一実施形態の多用途アームカバーの標準構成を概念的に示す平面図である。
【図３】本発明の一実施形態の多用途アームカバー商品群の写真である。
【図４】本発明の一実施例の多用途アームカバーの写真である。
【図５】本発明の別の実施例の多用途アームカバーの写真である。
【図６】本発明のまた別の実施例の多用途アームカバーの写真である。
【図７】本発明のさらに別の実施例の多用途アームカバーの写真である。
【図８】本発明の一実施形態の多用途アームカバー商品群生産管理システムのブロック図である。
【図９】従来技術（特許文献１）の紫外線防止用ロング手袋の平面図である。
【図１０】従来技術（特許文献２）の指なしルーズ式アームカバーの平面図である。
【図１１】従来技術（特許文献３）の昇華転写プリント繊維製品の表面図である。
【発明を実施するための形態】
【００３３】
以下、本発明の多用途アームカバー商品群生産システムを最良に実施するための形態の具体例を、添付図面を参照しながら説明する。
【００３４】
本発明の一実施形態の多用途アームカバー商品群生産システム１は、紫外線照射加工（ＵＶ加工）が施されたリサイクル可能なポリエステル又はポリウレタン繊維のブランク生地１１からなり、所定の形状を有する標準化された白地のアームカバーであるブランクアームカバー１０ａを製造する段階と、このブランクアームカバー１０ａをベースにして、各種ユーザ４０から要求された日焼け防止、ファッション、応援グッズ、イベントグッズ、記念品グッズ等の多用途毎に、各種所望の色彩の絵図又は／及び文字又は／及び符記号が後述する電子タグ（又はＩＣタグ）Ｔが取付けられたブランクアームカバー１０ｂの一部又は全面的に形成されたプリント柄Ｐを昇華プリントにより施してそれぞれ要求された数量の多用途アームカバー商品群１０のロット生産を行う段階と、ユーザ４０から使用後の多用途アームカバー商品群１０ｃを回収し破砕及び漂白処理して再度ＵＶ加工が施された白地のポリエステル又はポリウレタン繊維生地であるブランク生地１１ａに再生する段階と、を少なくとも有する。
【００３５】
この再生されたブランク生地１１ａを用いてのブランクアームカバー１０ａ製作段階、昇華プリント施工による多用途アームカバー商品群１０仕上げ段階、ユーザ４０による多用途アームカバー商品群１０使用段階、前記ブランク生地１１ａ再生段階の一連のサイクルが繰返される。
【００３６】
多用途アームカバー商品群生産システム１は、図１に示すように、ブランクアームカバー１０ａを製作するブランクアームカバー製造部署２１と、ブランクアームカバー１０ａに後述の電子タグ（又はＩＣタグ）Ｔが取付けられたブランクアームカバー１０ｂに多用途毎に所望のプリント柄Ｐを昇華プリントにより施して多用途アームカバー商品群１０を仕上げる昇華プリント部署３０と、ユーザ４０から使用済みの多用途アームカバー商品群１０ｃを回収し破砕及び漂白処理して再度ＵＶ加工が施された白地のポリエステル又はポリウレタン繊維生地であるブランク生地１１ａに再生するブランク生地再生部署５０と、各種ユーザ４０からの所望の用途内容に沿って多用途アームカバー商品群１０のロット生産に関する、各種ユーザ４０からの受注、ブランクアームカバー製造部署２１への発注、昇華プリント部署３０へのプリント柄Ｐ施工の発注、およびブランク生地再生部署５０への使用後の多用途アームカバー商品群１０ｃからのブランク生地１１ａ再生の発注を含む全体取纏めを行うシステム取纏め部署（以下、ＳＩと略称する）２０と、ユーザ４０を含む各部署２０、２１、３０、５０間の各多用途アームカバー商品群１０、１０ｂ、ブランクアームカバー１０ａ、１０ｂ及び再生されたブランク生地１１ａをそれぞれ繰返し使用可能なボックス（図示しない）内に収容して前記各部署２０→３０→４０→５０→６０あるいは２０⇔２１間をそれぞれ運送する運送部署７０と、が機能的に組織立てされ役割分担される。これにより、多用途アームカバー商品群生産システム１は効率よく運営される。
【００３７】
図１では、多用途アームカバー商品群１０の、例えば図２に示すような代表的な一実施形態の多用途アームカバーがイメージ的に示されている。ここで、ブランクアームカバー製造部署２１（又はブランクアームカバー製造部署２１でもよい）において新たに製作されたブランクアームカバー１０ａに多用途アームカバー識別手段として例えば電子タグ（又はＩＣタグ）Ｔが取付けられ、そのブランクアームカバー１０ｂに昇華プリント部署３０で昇華プリントによりプリント柄Ｐが施されて多用途アームカバー商品群１０が仕上げられる。多用途アームカバー商品群１０が各種ユーザ４０で使用された後に多用途アームカバー商品群１０ｃとしてブランク生地再生部署５０に回収され破砕及び漂白処理されるとともに再度ＵＶ加工が施された白地のポリエステル又はポリウレタン繊維生地であるブランク生地１１ａに再生される。このとき、多用途アームカバー商品群１０ｃから電子タグ（又はＩＣタグ）Ｔが取外されてブランク生地１１ａと共にシステム取纏め部署（ＳＩ）２０に返却される。このブランク生地１１ａは、ブランクアームカバー製造部署２１で再び新たなブランクアームカバー１０ａに製作される。
【００３８】
このブランクアームカバー１０ａは、再びＳＩ２０→昇華プリント部署３０→各種ユーザ４０→ブランク生地再生部署５０→ＳＩ２０⇔ブランクアームカバー製造部署２１間での前記一連のサイクルが繰返される。
【００３９】
運送部署７０で多用途アームカバー商品群１０、１０ｃ、ブランクアームカバー１０ａ、１０ｂ及びブランク生地１１ａをそれぞれ収容するボックスは、耐水性及び耐久性を有し、繰返し使用及び再生可能なプラスチックを含む環境配慮型素材からなるダンボール型ボックス（例えば、商品名「エコボックス」、アイリスオーヤマ株式会社）が好適である。
【００４０】
これにより、多用途アームカバー商品群１０、１０ｂ、ブランクアームカバー１０ａ、１０ｂ及びブランク生地１１ａの各部署間への運送の信頼性、効率性、経済性及び資源活用による良好な地球環境保持性が確保される。この場合、複数に亘るボックスを幾つかのコンテナに収容して運送してもよい。
【００４１】
なお、ここで前記の各「部署」は、実際にはそれぞれ独立した「業者」であるが、ある業者が幾つかのあるいは全部署を所有する場合など種々の形態が考えられる。
【００４２】
多用途アームカバー商品群１０は、図２に示すように、手甲側端１２及び腕根元側端１３の両端が開口されるとともに、手甲側端側に親指貫通口１４が設けられた中空の所定寸法の平坦状態で、手甲側端幅Ｗ１が８５〜９５ｍｍ、最も代表的に９０ｍｍであり、腕根元側端幅Ｗ２が１００〜１２０ｍｍ、最も代表的に１１０ｍｍであり、全長Ｌが４００〜５００ｍｍ、最も代表的に４５０ｍｍである略細長円錐台状先細り型に形成された標準化形状を有し、白地のポリエステル又はポリウレタン繊維生地であるブランク生地１１に所望のプリント柄Ｐが、腕根元側端の裏地元には多用途アームカバー識別手段として例えば電子タグ（又はＩＣタグ）Ｔが取付けられる。
【００４３】
なお、多用途アームカバー１０又はブランクアームカバー１０ａの形状や寸法は、上記に限定されることなく任意の形状及び寸法の変形形態とすることができることはいうまでもない。
【００４４】
プリント柄Ｐは、転写用の特殊なインクである昇華インクを使ったジェットプリント方式で、いずれも図示しないが、文字や画像を専用の昇華インクでシートに印刷し、そのシートを熱プレス機でブランク生地１１に転写して繊維自体を染色する公知の昇華プリント方式により施される。
【００４５】
例えば、昇華プリントの作業工程は、まず、パソコンでプリント柄Ｐの印刷用データを作成し、パソコンから昇華プリント用の印刷機に印刷指令を出す。
【００４６】
昇華転写専用シートに昇華転写専用特殊インクで印刷する。この際、色がきれいに出ているかのチェックも行う。
【００４７】
次いで、転写シートを素材の上に載せて、プレス機で高温圧着を行い、熱でブランク生地１１に転写する。
【００４８】
最後に、前記転写シートを剥がして、多用途アームカバー１０が仕上げられる。
【００４９】
このようにブランク生地１１に施されたプリント柄Ｐは、長時間の紫外線に当ると色褪せし易い弱点はあるが、ブランク生地１１に色が浸透するためプリントの違和感が全くなく、写真画像、グラデーションなどでは他の加工方法よりも美しくプリントできる。また、プリント柄Ｐの剥がれや色落ちなどは一切なく、伸縮にも強く通気性もありプリント面がひび割れすることもない。さらに、シルクスクリーンプリントのように版代を必要としないので、小ロットでも低コストで施工できる等々の長所を有する。
【００５０】
このように構成された本発明の多用途アームカバー商品群生産システム１は、標準化された白地のブランクアームカバー１０ａをベースにして日焼け防止、ファッション、応援グッズ、イベントグッズ、記念品グッズ等の多用途毎に、各種所望のプリント柄Ｐが昇華プリントされた多用途アームカバー商品群１０のロット生産を行うことから、従来の各種ユーザから要求されたその都度個別的にばらばらなデザイン及び用途に限定されたプリントアームカバーの個別的大量生産方式に比べて、特異的且つ多様な機能性を有する多用途の小ロット生産向きでコスト的にも有利なアームカバー商品群を生産できる。
【００５１】
さらに、多用途アームカバー商品群１０は、リサイクル可能なポリエステル又はポリウレタン繊維から形成され、ユーザ４０で使用済みの多用途アームカバー商品群１０ｃはブランク生地再生部署５０で破砕後新たなブランク生地１１ａに再生されることから、一切無駄をなくし省資源及び省エネルギーなど良好な地球環境保持等にも貢献することができる。
【００５２】
以下に、多用途アームカバー商品群１０の具体的な実施例について、添付図３〜７を参照し説明する。これらの図中、プリント図柄Ｐなど一部色彩や形状等が異なっていても前記図２と同じ部材には同一の符号を付してある。
【実施例１】
【００５３】
ブランクアームカバー１０ａをベースにして各種ユーザから要求された日焼け防止、ファッション、応援グッズ、イベントグッズ、記念品グッズなどの用途毎に各種所望の色彩の絵図又は／及び文字又は／及び符記号が前記ブランクアームカバー１０ｂの一部又は全面的に形成されたプリント柄Ｐを昇華プリントにより施された多用途アームカバー商品群１０の一実施例の写真を図３に示す。
【実施例２】
【００５４】
別の実施例として、全面的に赤色に染められたプリント柄Ｐが施され、音楽フェスティバルの記念グッズに用いられる多用途アームカバー１０Ａの写真を図４に示す。
【実施例３】
【００５５】
また別の実施例として、それぞれ全面的にブルーと赤色に染められたプリント図柄Ｐが施され、スポーツ大会の応援グッズに用いられる２種類の多用途アームカバー１０Ｂ、１０Ｃの写真を図５に示す。
【実施例４】
【００５６】
また別の実施例として、それぞれ全面的にブルー系の縞模様と水玉模様のプリント図柄Ｐが施され、ファッションに用いられる２種類の多用途アームカバー１０Ｄ、１０Ｅの写真を図６に示す。
【実施例５】
【００５７】
さらに別の実施例として、白地のブランク生地１１に部分的にプリント図柄Ｐが施され、日焼け防止に用いられる多用途アームカバー１０Ｆの写真を図６に示す。
【００５８】
これらの多用途アームカバー商品群１０に取付けられ、複数回の使用に耐える素材に形成され、個々の多用途アームカバー１０を識別してコンピュータ管理するための特定の多用途アームカバー識別手段としては、データの書込み及び読出し可能な電子タグ（又はＩＣタグ）Ｔの他に、例えば、バーコードあるいはＱＲコードなども考えられる。
【００５９】
バーコードやＱＲコードは、手作業による取付けが必要であり、データの書換えができないが、低コストである。
【００６０】
一方、電子タグ（又はＩＣタグ）Ｔは、リーダー及びライターなどが必要でシステムが高価となるが、データの書換えができるので、多用途アームカバー商品群１０に対し、バーコードやＱＲコードのような手作業による識別手段の取付け・取外し等の処理の必要がなく繰返し登録事項を書換え可能なため省力化され、高精度かつ安定した受注管理、在庫管理及びユーザ管理業務等の効率的な信頼性の高いコンピュータ管理ができる。
【００６１】
また、多用途アームカバー商品群生産システム１は、ＳＩ２０が、ユーザ４０からの多用途アームカバー商品群１０の受注、ブランクアームカバー製造部署２１へのブランクアームカバー１０ａの発注、昇華プリント部署３０へのブランクアームカバー１０ａに対するプリント柄Ｐの昇華プリントによる多用途アームカバー商品群１０の仕上げ発注、ならびにブランク生地再生部署５０へのブランク生地１１ａの再生発注を含む全体取纏めを前記電子タグ（又はＩＣタグ）Ｔと連携させたコンピュータ（ＰＣ）及びインターネットを介して一括管理するための多用途アームカバー商品群生産管理システム６０を備える。
【００６２】
以下に、多用途アームカバー商品群生産管理システム６０について図８を参照し説明する。
【００６３】
多用途アームカバー商品群生産管理システム６０は、電子タグＴを利用し、ユーザ４０からのクイックデリバリーの要求に答えるため、いずれも図示しないコンピュータ及びインターネットあるいは携帯電話機及び公衆通信回線などを介してリアルタイムな多用途アームカバー商品群１０の受発注、在庫管理、出荷等の一連の管理を行う。
【００６４】
これらの電子タグＴやいずれも図示しないリーダライタ、コンピュータ及びインターネット、携帯電話機及び公衆通信回線などを利用した管理手段は、従来公知の技術を適用することができるので、詳細な説明は省略する。
【００６５】
ＳＩ２０は、ユーザ４０からの要請を受けて多用途アームカバー商品群１０を受注すると、多用途アームカバー商品群１０のデザイン、素材、数量、プリント柄Ｐの内容、使用条件、ユーザ情報などの受注情報を多用途アームカバー商品群生産管理システム６０にインプットする。ここで、ユーザ情報は、ユーザ名、所属、使用者などを含む。
【００６６】
多用途アームカバー商品群生産管理システム６０は、この受注情報をもとに多用途アームカバー商品群名、色、サイズなどの多用途アームカバー商品群１０固有情報を含む多用途アームカバー商品群登録やユーザ登録を行うとともに、多用途アームカバー商品群１０の在庫管理、出荷管理、伝票管理、回収管理など多用途アームカバー商品群１０の種類、ユーザ４０毎に一連のトータル管理を行う。
【００６７】
多用途アームカバー商品群１０のデザインは、まず、ＵＶ加工が施されたポリエステル又はポリウレタン繊維のブランク生地１１からなる白地のブランクアームカバー１０ａが前記の通り標準化され、プリント柄Ｐは、図柄、大きさ、色彩等の内容、プリント位置などが決定される。
【００６８】
そして、ブランクアームカバー１０ａをピックアップし、これに多用途アームカバー識別手段である電子タグＴを取付ける（ブランクアームカバーピックアップ・電子タグ取付け段階）。
【００６９】
電子タグＴが取付けられた個々のブランクアームカバー１０ｂを識別して、  電子タグＴの物件番号と、ユーザ情報と、多用途アームカバー商品群固有情報と、製造メーカ、製造年月日、リサイクル部品情報などの製造情報と、初品投入日、前回納品日、回収日、洗濯回数、修理履歴を含む運用情報と、使用条件となどを含む登録事項の在庫リストの作成を行う（在庫リスト作成段階）。
【００７０】
次いで、電子タグＴの物件番号に対応する前記各登録事項の書込みを行う（登録事項書込み段階）。
【００７１】
多用途アームカバー商品群１０及びプリント柄Ｐの納期は、注文数量により決定されるが、通常１週間以内で納品するクイック納品（１Ｗ納品）制がとられる。多用途アームカバー商品群１０のプリント柄Ｐの内容が決定されると、以降、単品管理システムによりブランクアームカバー１０ｂが昇華プリント部署３０に出荷される。
【００７２】
昇華プリント部署３０でプリント柄Ｐがブランクアームカバー１０ｂに施され仕上げられた多用途アームカバー商品群１０が検品後ユーザ４０に出荷され納品される。
【００７３】
ユーザ４０で使用された多用途アームカバー商品群１０ｃは、ブランク生地再生部署５０に回収される。
【００７４】
ブランク生地再生部署５０で電子タグ（又はＩＣタグ）Ｔが取外された多用途アームカバー商品群１０ｃは、破砕及び漂白処理されるとともに再度ＵＶ加工が施された白地のポリエステル又はポリウレタン繊維生地であるブランク生地１１ａに再生され、再生されたブランク生地１１ａはＳＩ２０に返却される。
【００７５】
こうして、製造又は再生されたブランクアームカバー１０ｂの前記登録事項の電子タグＴへの書換えを行い（登録事項書換え段階）、在庫管理が行われ、以降上記各段階における納品書、請求書出し、その他財務、会計管理を含む一連の多用途アームカバー商品群生産管理が繰返し行われる。
【００７６】
なお、多用途アームカバー商品群１０の過去の使用内容は、インターネットのホームページ（ＨＰ）によりパスワードで視聴し確認することができる。
【００７７】
このように、電子タグＴ、インターネット、携帯電話機、公衆通信回線等を利用した多用途アームカバー商品群生産管理システム６０により、多用途アームカバー商品群１０を識別し、ユーザ情報、商品固有情報、製造情報、運用情報及び使用条件等の登録事項の在庫リストの作成、電子タグＴの物件番号に対応する各登録事項の書込み、繰返し作業後の前記登録事項の電子タグＴへの書換え、納品書、請求書出し、その他財務、会計管理等々を含む一連の多用途アームカバー商品群生産の一括管理の高精度、高効率かつ高信頼性が確保される。
【産業上の利用可能性】
【００７８】
本発明の多用途アームカバー商品群生産システム１は、標準化された白地のブランクアームカバー１０ａをベースにして日焼け防止、ファッション、応援グッズ、イベントグッズ、記念品グッズ等の多用途毎に、各種所望のプリント柄Ｐが昇華プリントされた多用途アームカバー商品群１０のロット生産を行い、特にユーザで多用途アームカバー商品群１０を使用した後で破砕後新たなブランク生地に再生されることから、製造コストを低減するとともに、直接・間接的に省資源及び省エネルギーなど良好な地球環境保持に貢献する等々の効果があり、イベント業界やレンタル業界に限らず各種業界やユーザに好適に適用できる。さらに、アームカバーに替えて、エプロン、ハチマキ、ハッピ、シャツ類、ジャケット類、着物、コスプレを含む各種衣料品あるいはのぼり旗、暖簾、テーブルカバー、バナースタンド、テント類を含む繊維製品又は布製品等々とすることもできるので、広く繊維業界や各種レンタル業界等にも好適に応用できる。
【符号の説明】
【００７９】
１；多用途アームカバー商品群生産システム
１０、１０ｃ、１０Ａ、１０Ｂ、１０Ｃ、１０Ｄ、１０Ｅ、１０Ｆ；多用途アームカバー（商品群）
１０ａ、１０ｂ；ブランクアームカバー
１１、１１ａ；ブランク生地
１２；手甲側端
１３；腕根元側端
１４；親指貫通口
２０；システム取纏め部署（ＳＩ）
２１；ブランクアームカバー製造部署
３０；昇華プリント部署
４０；ユーザ
５０；ブランク生地再生部署
６０；多用途アームカバー商品群生産管理システム
７０；運送部署
Ｌ；長さ
Ｐ；プリント柄
Ｔ；電子タグ（ＩＣタグ、多用途アームカバー識別手段）
Ｗ１；手甲側端幅
Ｗ２；腕根元側端幅
【図１】
2012007261.tif 000003
【図２】
2012007261.tif 000004
【図８】
2012007261.tif 000005
【図９】
2012007261.tif 000006
【図１０】
2012007261.tif 000007
【図１１】
2012007261.tif 000008
【図３】
2012007261.tif 000009
【図４】
2012007261.tif 000010
【図５】
2012007261.tif 000011
【図６】
2012007261.tif 000012
【図７】
2012007261.tif 000013